(57)【要約】【課題】シートサイズ等によらず、安定的にシート束から最上位のシートを分離し、搬送動作を行えるシート搬送装置を提供する。【解決手段】シート搬送装置１０では、分離エア送風部からの分離エアＡで分離できずに、最上シート１Ａだけでなく、２枚目以降のシート１Ｂも静電吸着ベルト１３Ａに吸着された際、これらが密着して搬送されたとしても、静電吸着ベルト１３Ａの下流搬送部に設けられた押し下げエア送風部２４からのエアＡの一部が搬送ガイド板２３の通気孔を通らず、最上シート１Ａの下面で反射されて下向きに流れる押し下げエアＡｘとして作用し、最上シート１Ａのみが分離搬送される。それにより、最上シート１Ａを安定的に搬送できるようになる。【選択図】図５
2014019511.tif 000002
【特許請求の範囲】
【請求項１】
シート束を収納するシート収納部と、
前記シート束を垂直方向に昇降させるシート昇降手段と、
前記シート収納部に収納されたシート束の最上シートに近い位置から、少なくともシート束の一端にエアを送風することにより、少なくとも最上シートの前記一端側を前記シート束から分離浮上させるエア送風部と、
複数の電極を備える無端状の静電吸着ベルトと、
前記静電吸着ベルトの前記電極へ給電し、前記静電吸着ベルトに静電吸着力を発生させる給電装置と、
前記静電吸着ベルトを掛け回す少なくとも２本以上のローラと、
前記ローラの少なくとも一つを駆動して前記静電吸着ベルトを回転させるローラ駆動手段と、
前記静電吸着ベルトよりシート搬送方向で下流側に設けられ、前記シート搬送方向にシートを通すため垂直方向に間隔を開けて設けた一対の搬送ガイド板と、
該一対の搬送ガイド板に向けてエアを送風するエア送風部とを備え、
前記一対の搬送ガイド板がそれぞれエアを通す通風孔を備え、
前記エア送風部を、
前記一対の搬送ガイド板間にシートが通っていない状態では送風したエアが前記通風孔により前記一対の搬送ガイド板を通り抜け、
前記一対の搬送ガイド板間にシートが通され前記最上シートで前記通風孔が少なくとも一部塞がれている状態では、送風したエアの少なくとも一部が前記最上シートで反射されて２枚目以降のシートを押し下げるエアの流れを作り出す配置とした、
ことを特徴とするシート搬送装置。
【請求項２】
請求項１のシート搬送装置において、前記静電吸着ベルトが電極埋め込み型のものであり、かつ、前記搬送ガイド板が通気孔を有することを特徴とするシート搬送装置。
【請求項３】
請求項１のシート搬送装置において、前記静電吸着ベルトは、電極埋め込み型のものであり、かつ、前記搬送ガイド板が突起形状部を有することを特徴とするシート搬送装置。
【請求項４】
少なくとも、画像形成部と、請求項１乃至３のいずれかの前記シート搬送装置とを備えたことを特徴とする画像形成装置。
【請求項５】
前記画像形成装置が、デジタルコピー機、プリンタ、ファクシミリ、オフセット印刷機のいずれか又は少なくともこれらのうち二つの機能を有するものであることを特徴とする請求項４の画像形成装置。
【発明の詳細な説明】
【技術分野】
【０００１】
本発明は、電子写真方式、静電記録方式等を利用したファクシミリ、プリンタ、複写機、これらの少なくとも二つの機能を有する複合機等の画像形成装置に用いるシート搬送装置と、これを備えた画像形成装置に関する。
【背景技術】
【０００２】
複写機やプリンタ等の画像形成装置に用いられるシート搬送装置として、図１３に示すエア吸引式のシート搬送装置が広く知られている（特許文献１参照）。
【０００３】
図１３に示すシート搬送装置１０１は、シート収納部１１１の上方に給紙ベルト１１２Ｃを備えたシート吸着搬送部１１２が設けられており、シート収納部１１１上に積載された複数枚のシート１０２の、垂直方向の一番上にあるシート１０２Ａ（以下「最上シート１０２Ａ」とする）をエア吸引部１１３によって１枚ずつ給紙ベルト１１２Ｃに吸着し、最上シート１０２Ａを所定の位置へ搬送するように構成されている。シート収納部１１１の搬送方向下流側にはエア送風部１１４が設けられており、エアをシート１０２の一端に送風することにより、積載されたシート束１０２を分離するようになっている。
【０００４】
シートの搬送方向下流側には下流側端部最上シート検出手段１１５が設けられており、エア送風部１１４によるシートの浮き上がり等の影響を受けないシート搬送方向上流側には上流側端部最上シート検出手段１１６が設けられている。上流側端部最上シート検出手段１１６は、位置検出部１１６Ａと、位置検出レバー１１６Ｂとを有している。シート収納部１１１は、シート昇降手段１１８に接続されており、昇降可能である。最上シート１０２Ａが位置検出レバー１１６Ｂに接触すると、位置検出レバー１１６Ｂが垂直上方へ押上げられるように構成されている。給紙ベルト１１２Ｃの表面には、全域にわたって多数の吸引孔（図示せず）が形成されており、吸引孔およびエア吸引部１１３を介して給紙ベルト１１２Ｃに最上シート１０２Ａを吸着し、シートの搬送を行う。
【０００５】
以上の構成によるシート搬送動作は以下の通りである。
まず、シート搬送動作開始前にシート昇降手段１１８によってシート昇降部材１１１Ａを上昇させ、積載されたシート１０２の最上シート１０２Ａの搬送下流側端部が下流側端部最上シート検出手段１１５に検出される。この最上シート１０２Ａ検出位置を基準位置として上流側端部最上シート検出手段１１６に記憶させる。
【０００６】
次に、図１４に示すようにエア送風部１１４によって積載されたシート１０２に分離エアＡを送風し、積載されたシート束１０２を分離する。そして、エア吸引部１１３によって最上シート１０２Ａを給紙ベルト１１２Ｃに吸着させ、給紙ベルト１１２Ｃを回転させて、吸着したシートを所定位置に搬送する。シート搬送によりシート収納部１１１内のシート１０２が減り、最上シート１０２Ａの垂直方向位置が下がり、上流側端部最上シート検出手段１１６が記憶した基準位置外の状態となったときには、シート昇降手段１１８によって上昇させる。最上シート１０２Ａの垂直方向位置がそれほど下がっておらず、上流側端部最上シート検出手段１１６が基準位置を検出している状態のときには、シート搬送動作を継続する。
【０００７】
以上のようなエア吸引式のシート搬送装置は数多く知られているが（エア吸着を行うタイプの装置で、シート搬送方向下流側から分離エアＡを吹き付ける技術については、特許文献２〜８などに開示がある。）、図１３、図１４に示した例で述べれば、いずれもエア吸引部１１３を吸引して真空状態にすることにより負圧を発生させ、給紙ベルト１１２Ｃに最上シート１０２Ａを吸着させる方式であるため、過度な負圧によってはシート表面にダメージを与えることが考えられ、例えば、給紙ベルト１１２Ｃ表面の吸引孔がシート表面に転写してしまう場合がある。
【０００８】
すなわち、エア吸着の場合、吸着力が強いので、下流側からベルトに向けて分離エアＡを吹き付けても、最上位の紙が剥がれ落ちる問題は少なく、２枚目以降の紙を確実に押し下げることができるが、エア吸着は吸引力が強すぎて紙にダメージを与えるため、より弱い吸着力で静電的に吸着させる静電吸着ベルトを用いる方法が提案されている。
【０００９】
このような静電吸着ベルトを用いる方式には、大別して２通りの方式があり、電極埋め込みタイプと、帯電パターンタイプが知られているが、いずれにしても静電吸着方式の場合、シートを吸着する力がエア吸着に比べて弱いため、エア吸着のときと同様に、ベルトに向かって下流側から分離エアＡを噴き付けると、静電吸着ベルトと引き付けている最上位紙の間にエアが滞留し、最上位の紙まで剥がれ落ちてしまうという問題がある。
【発明の概要】
【発明が解決しようとする課題】
【００１０】
そこで本発明は、重送防止対策の用紙先端にエアを吹き付ける機構を備えつつ、静電吸着ベルトが用紙を吸着しきれないことによる重送や不給紙を防ぐことが可能なシート搬送装置、画像形成装置を提供することを目的としている。
【課題を解決するための手段】
【００１１】
本発明に係るシート搬送装置は、シート束を収納するシート収納部と、前記シート束を垂直方向に昇降させるシート昇降手段と、前記シート収納部に収納されたシート束の最上シートに近い位置から、少なくともシート束の一端にエアを送風することにより、少なくとも最上シートの前記一端側を前記シート束から分離浮上させるエア送風部と、複数の電極を備える無端状の静電吸着ベルトと、前記静電吸着ベルトの前記電極へ給電し、前記静電吸着ベルトに静電吸着力を発生させる給電装置と、前記静電吸着ベルトを掛け回す少なくとも２本以上のローラと、前記ローラの少なくとも一つを駆動して前記静電吸着ベルトを回転させるローラ駆動手段と、前記静電吸着ベルトよりシート搬送方向で下流側に設けられ、前記シート搬送方向にシートを通すため垂直方向に間隔を開けて設けた一対の搬送ガイド板と、該一対の搬送ガイド板に向けてエアを送風するエア送風部とを備え、前記一対の搬送ガイド板がそれぞれエアを通す通風孔を備え、前記エア送風部を、前記一対の搬送ガイド板間にシートが通っていない状態では送風したエアが前記通風孔により前記一対の搬送ガイド板を通り抜け、前記一対の搬送ガイド板間にシートが通され前記最上シートで前記通風孔が少なくとも一部塞がれている状態では、送風したエアの少なくとも一部が前記最上シートで反射されて２枚目以降のシートを押し下げるエアの流れを作り出す配置とした、ことを特徴とする。
【発明の効果】
【００１２】
本発明によれば、シートの搬送方向で静電吸着ベルト下流に位置するシート搬送部で静電吸着ベルトに密着したシートを分離しやすくすることができ、最上シートを安定的に搬送できる。
【図面の簡単な説明】
【００１３】
【図１】本発明に係るシート搬送装置を装備し得る画像形成装置の一例を示す概略構成図
【図２】本発明のシート搬送装置の構成説明図
【図３】図２の装置が備える静電吸着ベルトの内部構造を示す拡大
【図４】図２の装置で静電吸着ベルトに最上シートを吸着した状態を示す図
【図５】図２の装置で静電吸着ベルトを鉛直方向に往復させる構成とした場合の吸着位置を示す図
【図６】同じく搬送位置を示す図
【図７】図２の装置で静電吸着ベルトを鉛直方向に往復回動させる構成とした場合の吸着位置を示す図
【図８】同じく搬送位置を示す図
【図９】図２の装置で最上シートを吸着し、搬送する状態を図２の右側から見て示す図（Ａ）と、押し下げエア送風部からのエアの一部が搬送ガイド板内でシートの下面で反射されて下向きに流れる押し下げエアとして作用する状態を示す拡大図
【図１０】搬送ガイド板の通気孔の形成例を示す図９（Ａ）相当図
【図１１】図１０の矢印Ｙ方向から見て通気孔の形状と位置を示す図
【図１２】上質紙を代表とした非塗工紙とコート紙を代表とした塗工紙の異なる種類のシートに対し、シート坪量とシートサイズに応じた間隔とエア量の組み合わせを示したテーブルを示す図
【図１３】従来のエア吸引式のシート搬送装置の一例を示す図
【図１４】図１４の装置の動作状態を示す図
【発明を実施するための形態】
【００１４】
以下、本発明の実施の形態を図面を参照して詳細に説明する。なお静電吸着ベルトには、電極埋め込みタイプと、帯電パターンタイプが知られている。本発明の実施形態に係る装置での静電吸着給紙は、いずれのタイプでも構わない。
【００１５】
図１は、本発明に係るシート搬送装置を装備し得る画像形成装置の一例を示す概略構成図である。なお、本発明の実施対象とする画像形成装置は、図示のものには限定されず、複写機、ファクシミリ装置、複写機能とファクシミリ機能等を備えた複合機等の機能を有するもの等々、画像形成を行う種々の装置が対象となる。
【００１６】
図１において、画像形成装置の一例としての複写機１００は、原稿トレイ１１０ａに載置された原稿束から原稿を１枚分離して原稿読取部１２０上のコンタクトガラスに自動給紙する自動原稿搬送装置１１０と、自動原稿搬送装置１１０によってコンタクトガラス上に搬送された原稿を読み取る原稿読取部１２０と、給紙部１３０から給紙されたシート材に対して、原稿読取部１２０によって読み取った画像を形成する画像形成部（画像形成手段）１４０と、複数のシート材が積層されたシート束Ｓを有し、このシート束Ｓから最上位に位置するシート材Ｓ１を画像形成部１４０に給紙する給紙部１３０を備えている。なお、本実施の形態では、画像形成部１４０と給紙部１３０とは分割可能となっているが、そうでない構成でも良い。
【００１７】
給紙部１３０は、複数枚のシート材Ｓ１を積載するシート積載部材としての給紙カセット１５０と、給紙カセット１５０上の複数枚のシート材Ｓ１から最上位に位置するシート材を分離して搬送するシート分離給紙装置１６０とを含んで構成してある。
【００１８】
シート分離給紙装置１６０によって分離給紙されたシート材Ｓ１は、搬送経路１７０上を搬送されるようになっており、搬送経路１７０上を搬送されるシート材Ｓ１は、搬送ローラ対１８０により搬送され、転写ローラ１９０によって画像形成部１４０で形成されたトナー画像が転写され、このトナー画像が定着器２００によって熱転写され、排紙ローラ対２１０により排紙トレイ２２０に排出する。
【００１９】
画像形成部１４０は、４つの作像部２３０（２３０Ｙ（イエロー）、２３０Ｃ（シアン）、２３０Ｍ（マゼンタ）、２３０ＢＫ（ブラック））と、転写ベルトである中間転写ベルト２４０と、露光装置２５０とから構成してある。
【００２０】
露光装置２５０は、パーソナルコンピュータ、ワードプロセッサ等から入力される色分解された画像データや、原稿読取部１２０によって読み取られた原稿の画像データを光源駆動用の信号に変換し、それに従い各レーザ光源ユニット内の半導体レーザを駆動して光ビームを射出するようになっている。
【００２１】
作像部２３０Ｙ、２３０Ｃ、２３０Ｍ、２３０ＢＫは、それぞれ異なる色の画像（トナー像）を形成するようになっており、作像部２３０Ｙ、２３０Ｃ、２３０Ｍ、２３０ＢＫは、時計回転方向に回転駆動される像担持体である感光体２６０（２６０Ｙ、２６０Ｃ、２６０Ｍ、２６０ＢＫ）、感光体２６０の周囲に配置された帯電部２７０、現像部２８０、クリーニング部２９０等により構成されている。
【００２２】
感光体２６０は、円筒状に形成され、図示しない駆動源により回転駆動される。感光体２６０の外周面部には感光層が設けられており、露光装置２５０から射出された破線で示す光ビームが感光体２６０の外周面にスポット照射されることにより、感光体２６０の外周面には画像情報に応じた静電潜像が書き込まれる。
【００２３】
帯電部２７０は、感光体２６０の外周面を一様に帯電するもので、感光体２６０に対して接触方式のものが採用されている。現像部２８０は、感光体２６０にトナーの供給を行い、供給されたトナーが感光体２６０の外周面に書き込まれた静電潜像に付着することにより、感光体２６０上の静電潜像がトナー像として顕像化させるもので、感光体２６０に対して非接触方式のものが採用されている。
【００２４】
クリーニング部２９０は、感光体２６０の外周面に付着している残留トナーをクリーニングするもので、感光体２６０の外周面にブラシを接触させるブラシ接触方式のものが採用されている。
【００２５】
中間転写ベルト２４０は、樹脂フィルム、または、ゴムを基体として形成された無端状ベルトから構成されており、感光体２６０上に形成されたトナー像が転写され、この中間転写ベルト２４０に転写されたトナー像が転写ローラ１９０によってシート材Ｓ１に転写される。
【００２６】
以下、本発明の実施に関わるシート搬送装置の構成を説明する。
本実施形態は、静電吸着ベルトのシート搬送方向下流側の端部を用紙束の下流側端部よりも上流側に位置させつつ、ベルトの下流側の上側ガイド板に向けて分離エアを噴き、反射させて、直接ベルトと１枚目の間にエアが入りにくく、且つ２枚目以降の用紙間にエアが入りやすくしたものである。
【００２７】
本実施形態のシート搬送装置１０は、図２に示すようにシート収納部１１と、シート昇降部材１２と、静電吸着ベルト部１３と、垂直方向に間隔を開けて配した一対の搬送ガイド板２３、２３（以下、単に搬送ガイド板２３と記載する。）と、押し下げエア送風部２４と、シート束１の搬送方向上流端部規制部材１６と、静電吸着ベルト駆動手段１３Ｅと、モータＭなどからなるシート昇降手段１８と、図４に示すシート束１の搬送方向側端部規制部材１５と、搬送方向側端部規制部材１５に付属している分離エア送風部２５と、制御部（図示せず）とを備えている。シート昇降部材１２は水平面を有しており、積層された複数枚のシート束１を積載可能である。シート収納部１１には、制御部に接続されたシート昇降手段１８が駆動連結されており、シート昇降手段１８が駆動することによりシート昇降部材１２が昇降し、シート収納部１１内のシート束１を昇降することができるように構成されている。
【００２８】
以下、本実施形態に係る静電吸着ベルトの構成を説明する。
図２に示すように、静電吸着ベルト部１３は、制御部に接続された静電吸着ベルト駆動手段１３Ｅに駆動連結されており、駆動ローラ１３Ｂ、従動ローラ１３Ｃを掛け渡す静電吸着ベルト１３Ａを備えている。この駆動ローラ１３Ｂ位置、従動ローラ１３Ｃの位置は固定されている。静電吸着ベルト１３Ａは、図３に示すような複数の電極２１を絶縁層２２によって被覆したシート状の媒体をベルトにしたものである。複数の電極２１は、プラス電極２１Ａとマイナス電極２１Ｂが交互に配列されている。これら電極２１へ静電吸着ベルト給電装置１３Ｄによって電圧を印加すると誘電分極が発生し、最上シート１Ａの吸着面が分極するため、静電吸着ベルト１３Ａとの間に静電吸着力（クーロン力）が発生する。
【００２９】
静電吸着力により静電吸着ベルト１３Ａに吸着した最上シート１Ａは、図４に示すように静電吸着ベルト１３Ａに吸着した状態で静電吸着ベルト駆動手段１３Ｅが駆動して静電吸着ベルト１３Ａが回転することにより、画像形成装置２０（図示せず）が配置されている位置へ最上シート１Ａが搬送されるように構成されている。
【００３０】
なお本実施形態では、電極２１を絶縁層２２で被覆した静電吸着ベルト１３Ａとしたが、静電吸着ベルト上に電荷を付与して静電吸着力を発生する方式でもよく、そのための静電電荷付与手段を備えていてもよい。
【００３１】
また、駆動ローラ１３Ｂと従動ローラ１３Ｃ位置を、鉛直方向の同位置で固定としているが、駆動ローラ１３Ｂ、従動ローラ１３Ｃ共に、図５で示す吸着位置と、図６に示す搬送位置とを、鉛直方向に往復させる構成としてもよい。
【００３２】
また、駆動ローラ１３Ｂの軸を回動中心として、図７で示す吸着位置と、図８に示す搬送位置とを鉛直方向に往復回動させる構成としてもよい。
【００３３】
以下、本実施形態におけるシート分離作用について説明する。
シート束１は、図２に示す第１の辺１Ｂと第２の辺１Ｃとからなる一対の辺と、図９に示す第３の辺１Ｄと第４の辺１Ｅとからなる一対の辺とにより規定される長方形状をなしている。辺１Ｄと辺１Ｅとは、駆動ローラ１３Ｂ、従動ローラ１３Ｃを結ぶ方向に指向しており、辺１Ｂは図２において右端のシート搬送方向下流側に位置し、辺１Ｃは図２において左端のシート搬送方向の上流側に位置している。
【００３４】
分離エア送風部２５は、図９に示すように送風口が搬送方向側端部規制部材１５Ａ、１５Ｂに付属する形で備えており、分離エア送風部２５によって分離エアＡを最上シート１Ａの辺１Ｄ、辺１Ｅ付近に送風し、最上シートを浮揚させて静電吸着ベルト１３Ａに接近、あるいは接触させることでシート間に分離エアＡが流れ、複数のシートを互いに分離させることができる配置としてある。
【００３５】
分離エア送風部２５からの分離エアＡで分離できずに、最上シート１Ａだけでなく、２枚目以降のシートも静電吸着ベルト１３Ａに吸着され、密着して搬送されたとしても、静電吸着ベルト１３Ａの下流搬送部に設けられた押し下げエア送風部２４からのエアＡの一部が、シート（図示の例では最上シート１Ａの下面）で反射されて下向きに流れる押し下げエアＡｘとして作用して、最上シート１Ａのみが分離搬送される。
【００３６】
すなわち、図９（Ｂ）に示すように、シートが搬送ガイド板２３の通気孔を設けた部位に到達する前は、エアＡは搬送ガイド板２３の通気孔を通過し、シートが搬送ガイド板２３間に入ってきて通気孔を一部でも覆うと、エアによりシートが変形するため、最上シート１Ａと、それに密着したシート（例えば２枚目のシート１Ｂ）間に、図示のようにエアが入り込み、このエアが押し下げエアＡｘとなり、それによって密着した２枚あるいはそれ以上の複数枚のシートから最上シート１Ａが分離し、最上シート１Ａだけを搬送できるようにしている。
【００３７】
搬送ガイド板２３の通気孔の図示は省略するが、シートが搬送ガイド板２３に達していない時は、通気孔を通してエアＡを通過させ、密着したシートが搬送されてきた時は、エアＡがシートに反射して密着したシートに対する押し下げエアＡｘとして作用することで、安定したシート搬送及び、分離を行うことが出来る。なお図１０に示すように、通気孔２３ａの形状をシート搬送方向下流側を閉じたホームベース型のスリット形状（幅３ｍｍ〜５ｍｍ）をなすようにすることで、シートが引っ掛からないよう構成されている。
【００３８】
また、図１１に示すように、搬送ガイド板２３のシートと接触する箇所に突起２３ｂを設けることで、密着して搬送されてきたシートを変形させ、最上シートと密着しているシートとの間に押し下げエアＡｘを入り込み易くすることで、安定したシートを分離を行うことが出来る。突起形状は半円形状（Ｒ１〜Ｒ５）を成しており、用紙にダメージを与えない構成となっている。本構成では中央上部１ヶ所の突起形状としたが、上部だけではなく下部に設けたり、複数の突起形状を設けたりする構成でもよい。
【００３９】
以上の構成を有するシート搬送装置１０におけるシート搬送の一連の動作を説明する。
（１）シート収納部１１に積載されたシート束１を、図４に示すようにシート昇降手段１８によって上昇させる。このとき、静電吸着ベルト１３Ａ吸着面と最上シート１Ａとが、設定された間隔ｄとなるように制御部で制御する。
（２）分離エア送風部２５を稼動、同時に静電吸着ベルト給電装置１３Ｄを稼動して静電吸着ベルト１３Ａに最上シート１Ａを静電吸着させる。
（３）押し下げエア送風部２４を稼動、同時に静電吸着ベルト駆動手段１３Ｅを稼動して静電吸着ベルト１３Ａを回転させて、最上シート１Ａを搬送する。
（４）搬送している最上シート１Ａの先端が次の搬送ローラに到達と同時に静電吸着ベルト給電装置１３Ｄと静電吸着ベルト駆動手段１３Ｅを停止する。
（５）静電吸着ベルト１３Ａ吸着面と最上シート１Ａとが、設定された間隔ｄとなるようにシート昇降手段１８を制御部で制御する。
（６）以降、シート収納部１１のシート全てを搬送するか、シート搬送動作終了の信号を制御部が受信するまで前記動作（２）から前記動作（５）までを繰り返し継続する。
【００４０】
図示せぬ制御部は、シート収納部１１に積載されたシート坪量、シート種類、シートサイズに応じて、最上シート１Ａ吸着時の静電吸着ベルト１３Ａ吸着面と最上シート１Ａの間隔ｄ、また最上シートの分離を行う分離エア送風部２５より送風されるエア量ｅ、密着シートの押し下げを行う押し下げエア送風部２４より送風されるエア量ｆを変更するテーブルを蓄積している。
【００４１】
図１２は、上質紙を代表とした非塗工紙とコート紙を代表とした塗工紙の異なる種類のシートに対し、シート坪量とシートサイズに応じた間隔ｄと分離エア量ｅ、及び押し下げエア量ｆの組み合わせを示したテーブルである。前記動作（２）の、最上シート１Ａを分離エア送風部２５によって分離させた状態で静電吸着ベルト１３Ａに吸着させる動作、及び前記動作（３）の静電吸着ベルト下流搬送部で押し下げエア送風部２４によって、密着シートの押し下げを行う動作において、シート坪量、シート種類、シートサイズが変更されても最も適切な間隔ｄと、それぞれのエア量ｅ、ｆの組み合わせをテーブルから選択することによって、良好にシート搬送動作を行うことができる。なお、図１２のテーブルは、シート坪量、シート種類、シートサイズに応じて全て異なる値でもよいし、同じでもよい。
【００４２】
以上述べてきたように、本実施形態装置では、静電吸着ベルト下流に設けられた搬送ガイド板に通気孔を設けることで、シートが搬送ガイド板に達していない時は、通気孔を通してエアＡを通過させ、密着したシートが搬送されてきた時は、エアＡがシートに反射して密着したシートに対する押し下げエアＡｘとして作用することで、安定したシート分離を行うことができる。
【００４３】
また、静電吸着ベルト下流に設けられた搬送ガイド板のシートと接触する箇所に突起を設けることで、密着して搬送されてきたシートを変形させ、最上シートと密着しているシートとの間に押し下げエアＡｘを入り込み易くして、安定的にシートを分離できる。
【００４４】
なお以上説明してきた本発明の実施形態に係るシート搬送装置は、画像形成装置、例えばデジタルコピー機、プリンタ、ファクシミリ、オフセット印刷機においてシート搬送動作を向上させるために用い得るが、その他の画像形成装置や、類似の他の装置に搭載して用い得る。
【００４５】
また本発明は以上説明した実施形態に限定されるものではなく、多くの変形が本発明の技術的思想内で当分野において通常の知識を有する者により可能である。
【符号の説明】
【００４６】
１        ：シート束
１Ａ      ：最上シート
１０      ：シート搬送装置
１１      ：シート収納部
１２      ：シート昇降部材
１３      ：静電吸着ベルト部
１３Ａ    ：静電吸着ベルト
１３Ｂ    ：駆動ローラ
１３Ｃ    ：従動ローラ
１３Ｄ    ：静電吸着ベルト給電装置
１３Ｅ    ：静電吸着ベルト駆動手段
１５、１５Ａ    ：搬送方向側端部規制部材
１６      ：搬送方向上流端部規制部材
１８      ：シート昇降手段
２０      ：ベルト位置エア送風部
２１      ：電極
２２      ：絶縁層
２３      ：搬送ガイド板
２３ａ    ：通気孔
２３ｂ    ：突起
２４      ：エア送風部
２５      ：分離エア送風部
１００    ：複写機
１１０    ：自動原稿搬送装置
１１０ａ  ：原稿トレイ
１２０    ：原稿読取部
１３０    ：給紙部
１４０    ：画像形成部
１５０    ：給紙カセット
１６０    ：シート分離給紙装置
１７０    ：搬送経路
１９０    ：転写ローラ
２００    ：定着器
２２０    ：排紙トレイ
２３０    ：作像部
２３０Ｙ  ：作像部
２４０    ：中間転写ベルト
２５０    ：露光装置
２６０    ：感光体
２７０    ：帯電部
２８０    ：現像部
２９０    ：クリーニング部
Ａ、Ａｘ  ：エア
【先行技術文献】
【特許文献】
【００４７】
【特許文献１】特開２００７−４５６３０号公報
【特許文献２】特開２０１０−１２６３０５号公報
【特許文献３】特開２０１０−２４１５８９号公報
【特許文献４】特開２０１０−１３７９６３号公報
【特許文献５】特開２０１０−１０５７８１号公報
【特許文献６】特開２０１０−２５４４６２号公報
【特許文献７】特開２０１１−１５７２０７号公報
【特許文献８】特許３２２０５４１号公報
【図１】
2014019511.tif 000003
【図２】
2014019511.tif 000004
【図３】
2014019511.tif 000005
【図４】
2014019511.tif 000006
【図５】
2014019511.tif 000007
【図６】
2014019511.tif 000008
【図７】
2014019511.tif 000009
【図８】
2014019511.tif 000010
【図９】
2014019511.tif 000011
【図１０】
2014019511.tif 000012
【図１１】
2014019511.tif 000013
【図１２】
2014019511.tif 000014
【図１３】
2014019511.tif 000015
【図１４】
2014019511.tif 000016